(57)【要約】【課題】放射線撮影装置を平面上に置いた状態から放射線撮影装置を持ち上げる際に、その持ち上げ動作を容易にする仕組みを提供する。【解決手段】放射線撮影装置２００の外装部２０１は、複数の側面２１１〜２１４を構成する枠体２１０と、放射線Ｒが入射する放射線入射面を構成し、枠体２１０と接合された放射線透過板２２０と、放射線入射面と対向する背面を構成し、枠体２１０と接合された背面筐体２３０とを含み構成されており、枠体２１０を構成する複数の側面のうちの少なくとも１つの側面２１１には、第１の凹部１５が設けられている。さらに、背面筐体２３０の背面には、その周辺領域であって、第１の凹部１５に対して、外装部２０１において第１の凹部１５が設けられている側面２１１と当該背面との境界２４０を間に挟む領域に、第２の凹部１６が設けられている。【選択図】図５
2020159920.tif 000002
【特許請求の範囲】
【請求項１】
被写体を透過した放射線を電気信号に変換する放射線検出部と、
前記放射線検出部を内包する外装部と、
を有し、
前記外装部は、前記放射線が入射する放射線入射面、前記放射線入射面と対向する背面、および、前記放射線入射面と前記背面との間に位置する複数の側面を有する直方体形状であり、
前記複数の側面のうちの少なくとも１つの側面には、第１の凹部が設けられており、前記背面には、その周辺領域であって、前記第１の凹部に対して、前記外装部において前記第１の凹部が設けられている前記側面と当該背面との境界を間に挟む領域に、第２の凹部が設けられていることを特徴とする放射線撮影装置。
【請求項２】
前記外装部は、
前記複数の側面を構成する枠体と、
前記放射線入射面を構成し、前記枠体と接合された放射線透過板と、
前記背面を構成し、前記枠体と接合された背面筐体と、
を含み構成されていることを特徴とする請求項１に記載の放射線撮影装置。
【請求項３】
前記第１の凹部が設けられている前記側面と対向する側面には、前記背面の側に傾斜した傾斜領域が形成されていることを特徴とする請求項１または２に記載の放射線撮影装置。
【請求項４】
前記対向する側面は、前記放射線検出部との間に、前記放射線検出部に接続された配線が配置されている側面であることを特徴とする請求項３に記載の放射線撮影装置。
【請求項５】
前記第１の凹部は、前記複数の側面のうちの全ての側面に設けられていることを特徴とする請求項１乃至４のいずれか１項に記載の放射線撮影装置。
【請求項６】
前記第１の凹部は、前記放射線の入射方向から見た平面視において、前記放射線検出部の有効画素領域における中心位置を通り、前記放射線入射面を定める直交する２軸のうちの少なくとも１軸に沿った線上の位置を含む領域に設けられていることを特徴とする請求項１乃至５のいずれか１項に記載の放射線撮影装置。
【請求項７】
前記第１の凹部の内部には、前記放射線検出部の有効画素領域における中心位置を示すための構造物が形成されていることを特徴とする請求項１乃至６のいずれか１項に記載の放射線撮影装置。
【請求項８】
前記構造物は、凹形状を有する凹形状構造物であることを特徴とする請求項７に記載の放射線撮影装置。
【請求項９】
前記構造物は、凸形状を有する凸形状構造物であることを特徴とする請求項７に記載の放射線撮影装置。
【請求項１０】
前記構造物は、手指をかけるための構造物であることを特徴とする請求項７乃至９のいずれか１項に記載の放射線撮影装置。
【請求項１１】
前記第１の凹部は、１ｍｍ以上の深さの凹部であることを特徴とする請求項１乃至１０のいずれか１項に記載の放射線撮影装置。
【請求項１２】
前記第１の凹部および前記第２の凹部は、前記放射線の入射方向から見た平面視において、当該放射線撮影装置の重心位置を通り、前記放射線入射面を定める直交する２軸のうちの少なくとも１軸に沿った線上の位置を含む領域に設けられていることを特徴とする請求項１乃至１１のいずれか１項に記載の放射線撮影装置。
【発明の詳細な説明】
【技術分野】
【０００１】
本発明は、医療分野等で用いられる可搬型の放射線撮影装置に関するものである。
【背景技術】
【０００２】
医療分野において、半導体センサを使用して放射線画像を撮影する放射線撮影装置（Ｄｉｇｉｔａｌ  Ｒａｄｉｏｇｒａｐｈｙ）が普及してきている。この放射線撮影装置は、病院の内外を問わずあらゆる場合での使用を期待され、可搬性、操作性の良さを求められることで、小型化、薄型化、軽量化が進められている。そのため、昨今では、ワイヤレスタイプの放射線撮影装置が多く普及してきている。
【０００３】
最近では、可搬性に対する要求がこれまで以上に増加傾向にあり、軽さだけではなく、安定的な持ちやすさ等を考慮することも重要となってきた。特許文献１では、可搬性を考慮して筐体の一部に凹形状を設ける技術が記載されており、特許文献２では、可搬性を考慮して放射線撮影装置の筐体を構成する２つの筐体部品の接合部に窪みを設ける技術が記載されている。
【先行技術文献】
【特許文献】
【０００４】
【特許文献１】特許第６０８０９００号公報
【特許文献２】特許第５９７９８３９号公報
【発明の概要】
【発明が解決しようとする課題】
【０００５】
可搬型の放射線撮影装置では、持ちやすさのみならず、持ち上げやすさも考慮することが重要である。昨今、ワイヤレスタイプの放射線撮影装置が普及し、交換式バッテリを搭載するモデルでは、バッテリ着脱の際に、放射線が入射する放射線入射面（或いは、放射線入射面と対向する背面）を下面して机や台等の平面上に平置きする場合、放射線撮影装置の持ち上げ難さが課題となっている。例えば、特許文献１や特許文献２に記載の技術は、放射線撮影装置の持ちやすさについては考慮されているが、放射線撮影装置を持ち上げやすくするという観点では不十分である。
【０００６】
本発明は、このような問題点に鑑みてなされたものであり、放射線撮影装置を平面上に置いた状態から放射線撮影装置を持ち上げる際に、その持ち上げ動作を容易にする仕組みを提供することを目的とする。
【課題を解決するための手段】
【０００７】
本発明の放射線撮影装置は、被写体を透過した放射線を電気信号に変換する放射線検出部と、前記放射線検出部を内包する外装部と、を有し、前記外装部は、前記放射線が入射する放射線入射面、前記放射線入射面と対向する背面、および、前記放射線入射面と前記背面との間に位置する複数の側面を有する直方体形状であり、前記複数の側面のうちの少なくとも１つの側面には、第１の凹部が設けられており、前記背面には、その周辺領域であって、前記第１の凹部に対して、前記外装部において前記第１の凹部が設けられている前記側面と当該背面との境界を間に挟む領域に、第２の凹部が設けられている。
【発明の効果】
【０００８】
本発明によれば、放射線撮影装置を平面上に置いた状態から放射線撮影装置を持ち上げる際に、その持ち上げ動作を容易にすることができる。
【図面の簡単な説明】
【０００９】
【図１】一般的な放射線撮影装置の外観の一例を示す図である。
【図２】図１（ｂ）に示す放射線撮影装置のＩ−Ｉ断面における概略構成の一例を示す図である。
【図３】図１（ｂ）に示す放射線撮影装置から背面筐体を取り除き、放射線撮影装置の背面側から内部を見た概略構成の一例を示す図である。
【図４】図３に示す電源の取付け構造の一例を示す図である。
【図５】本発明の第１の実施形態に係る放射線撮影装置の外観の一例を示す図である。
【図６】本発明の第２の実施形態に係る放射線撮影装置の概略構成の一例を示す図である。
【図７】本発明の第３の実施形態に係る放射線撮影装置の外観の一例を示す図である。
【発明を実施するための形態】
【００１０】
以下に、図面を参照しながら、本発明を実施するための形態（実施形態）について説明する。
【００１１】
（第１の実施形態）
まず、本発明の第１の実施形態について説明する。
【００１２】
本発明の第１の実施形態に係る放射線撮影装置の説明を行う前に、まず、一般的な放射線撮影装置の説明を行う。図１は、一般的な放射線撮影装置１００の外観の一例を示す図である。
【００１３】
具体的に、図１（ａ）は、放射線撮影装置１００を、放射線Ｒが入射する放射線入射面の側から見た図である。この図１（ａ）に示すように、一般的な放射線撮影装置１００は、放射線検出部５を内包する外装部１０１を備えている。この外装部１０１は、複数の側面を構成する枠体１１０、放射線Ｒが入射する放射線入射面を構成し、枠体１１０と接合された放射線透過板１２０、及び、放射線入射面と対向する背面を構成し、枠体１１０と接合された背面筐体１３０を備えている。また、図１（ａ）では、外装部１０１に内包される放射線検出部５の有効画素領域５１を矩形の点線で示している。また、図１（ａ）では、放射線Ｒの入射方向をＺ軸とし、このＺ軸と直交する２軸であって放射線透過板１２０の放射線入射面を定める相互に直交する２軸をＸ軸及びＹ軸とした、ＸＹＺ座標系を図示している。ここでは、Ｘ軸及びＹ軸は、放射線透過板１２０の放射線入射面を定める直交する２軸として説明を行ったが、例えば、背面筐体１３０の上述した背面を定める直交する２軸として定義してもよい。
【００１４】
図１（ｂ）は、放射線撮影装置１００を、放射線Ｒが入射する放射線入射面と対向する背面の側から見た図である。この図１（ｂ）では、図１（ａ）に示したＸＹＺ座標系に対応させたＸＹＺ座標系を図示している。この図１（ｂ）では、枠体１１０の１つの側面と背面筐体１３０の所定位置に、それぞれ、無線通信を可能とするための無線用電波透過窓１１１及び無線用電波透過窓１３１を設けている。また、図１（ｂ）では、外装部１０１に内包される電源カバー１４を図示している。
【００１５】
図２は、図１（ｂ）に示す放射線撮影装置１００のＩ−Ｉ断面における概略構成の一例を示す図である。この図２において、図１に示す構成と同様の構成については同じ符号を付しており、その詳細な説明は省略する。また、図２では、図１（ｂ）に示したＸＹＺ座標系に対応させたＸＹＺ座標系を図示している。
【００１６】
放射線撮影装置１００の外装部１０１の内部には、被写体（被検体）を透過した放射線Ｒを光へ変換する蛍光体層４が積層されており、蛍光体層４で発生した光を電気信号（画像信号）に変換する放射線検出部（「センサ」と称してもよい）５が設けられている。この放射線検出部５、放射線遮蔽部材６を介してセンサ保持板７に取り付けられている。ここで、蛍光体層４の材料としては、一般的に、ＧＯＳ（Ｇｄ2Ｏ2Ｓ）もしくはＣｓＩが多く用いられる。放射線検出部５は、一般的に、ガラス基板を用いて形成されているため、強い衝撃や荷重、変位を受けると、割れが発生する。そのため、放射線撮影装置１００内の放射線検出部５における放射線入射面の側には、衝撃を吸収するための衝撃吸収部材８を配置している。衝撃吸収部材８は、被写体を透過した放射線Ｒをできる限り減衰させないように蛍光体層４へ導くため、放射線透過率の高い材質を選定する必要がある。放射線遮蔽部材６は、被写体及び放射線検出部５を透過した放射線Ｒから電気基板１０ｂ及び１０ｃ等を保護する機能を有する。加えて、放射線遮蔽部材６は、放射線撮影装置１００を透過しその背後にある壁等で散乱した放射線Ｒが跳ね返り、蛍光体層４や放射線検出部５へ再入射することを防ぐ機能を有する。そのため、放射線遮蔽部材６は、材料としては、Ｍｏ，Ｗ，Ｐｂ，Ａｌ，Ｃｕ，ＳＵＳや硫酸Ｂａ等の材料が採用されることが多い。
【００１７】
センサ保持板７における背面筐体１３０の側の面には、放射線検出部５で変換された電気信号を配線（「フレキ」と称してもよい）９を介して読み出すための電気基板１０ａ（図３に記載）及び電気基板１０ｂ、電気信号を読み出した後に放射線画像の画像データを生成する電気基板１０ｃ、通信モジュール基板１０ｄ、並びに、無線通信用のアンテナ１１が設置されている。例えば、電気基板１０ｃで生成された放射線画像の画像データは、通信モジュール基板１０ｄ及びアンテナ１１を通じて、表示システム（不図示）に送信されて表示される。ここでは、無線通信接続を行う例を説明したが、有線通信接続を行うようにしてもよく、また、無線通信接続を行う場合には、例えば２．４ＧＨｚ帯や５ＧＨｚ帯を主として使用することが好適である。このような通信方法により、例えばＰＣやタブレット等に撮影した放射線画像の画像データが転送されて操作者に確認される。
【００１８】
無線通信接続を行う場合に、外装部１０１が金属系材料で作製される場合、無線の電波は遮蔽されてしまうため、外装部１０１には、図２に示すように、無線用電波透過窓１１１及び無線用電波透過窓１３１を設けている。そして、アンテナ１１は、これらの無線用電波透過窓１１１及び無線用電波透過窓１３１に近い位置に、無線放射特性を考慮して配置される。また、無線用電波透過窓１１１及び無線用電波透過窓１３１は、外装部１０１の隣接する側面を跨ぎ、一体化されていてもよい。
【００１９】
図３は、図１（ｂ）に示す放射線撮影装置１００から背面筐体１３０を取り除き、放射線撮影装置１００の背面側から内部を見た概略構成の一例を示す図である。この図３において、図１及び図２に示す構成と同様の構成については同じ符号を付しており、その詳細な説明は省略する。また、図３では、図１（ｂ）及び図２に示したＸＹＺ座標系に対応させたＸＹＺ座標系を図示している。
【００２０】
放射線撮影装置１００は、ワイヤレスタイプであるため、図３に示すように、装置を駆動させるための電源１２を搭載している。電源１２は、充電が可能であることから一般的にリチウムイオンバッテリやリチウムイオンキャパシタ等の２次電池が採用されることが多いが、これに限定されるものではない。図３では、電源１２は、容易に着脱をすることを考慮した場合の構造を示しており、具体的に、例えば背面筐体１３０を取り外すことなく電源１２に直接アクセスできる構造とすることが好適である。また、図３には、電源スイッチ等のインターフェース１７、及び、外部ユニットとの通信や電力供給のための外部インターフェース１８も図示している。
【００２１】
図４は、図３に示す電源１２の取付け構造の一例を示す図である。この図４において、図１〜図３に示す構成と同様の構成については同じ符号を付しており、その詳細な説明は省略する。また、図４では、図１〜図３に示したＸＹＺ座標系に対応させたＸＹＺ座標系を図示している。
【００２２】
図４に示すように、電源１２は、電源ホルダ１３に嵌め込まれ、この電源ホルダ１３に電源カバー１４を取り付けることによって保持される構造となっている。
【００２３】
次に、本発明の第１の実施形態に係る放射線撮影装置の説明を行う。
図５は、本発明の第１の実施形態に係る放射線撮影装置２００の外観の一例を示す図である。
【００２４】
具体的に、図５（ａ）は、放射線撮影装置２００を、放射線Ｒが入射する放射線入射面の側から見た図である。この図５（ａ）に示すように、第１の実施形態に係る放射線撮影装置２００は、被写体を透過した放射線Ｒを電気信号に変換する放射線検出部５を内包する外装部２０１を備えている。また、図５（ａ）では、外装部２０１に内包される放射線検出部５の有効画素領域５１を矩形の点線で示している。この外装部２０１は、複数の側面を構成する枠体２１０、放射線Ｒが入射する放射線入射面を構成し、枠体２１０と接合された放射線透過板２２０、及び、放射線入射面と対向する背面を構成し、枠体２１０と接合された背面筐体２３０を備えている。具体的に、外装部２０１は、放射線入射面を構成する放射線透過板２２０、背面を構成する背面筐体２３０、及び、放射線入射面とその背面との間に位置する複数の側面２１１〜２１４を構成する枠体２１０を有する直方体形状で形成されている。また、図５（ａ）では、放射線Ｒの入射方向をＺ軸とし、このＺ軸と直交する２軸であって放射線透過板２２０の放射線入射面を定める相互に直交する２軸をＸ軸及びＹ軸とした、ＸＹＺ座標系を図示している。ここでは、Ｘ軸及びＹ軸は、放射線透過板２２０の放射線入射面を定める直交する２軸として説明を行ったが、例えば、背面筐体２３０の上述した背面を定める直交する２軸として定義してもよい。
【００２５】
放射線撮影装置２００の外装部２０１は、軽量で且つ強度の大きい材料が求められるため、例えば、ＣＦＲＰ、アルミニウム合金、マグネシウム合金等を採用し得る。また、放射線透過板２２０には、入射する放射線Ｒの透過率が良好な材質を選定する必要がある。このため、外装部２０１の材料として、例えばアルミニウム合金やマグネシウム合金等の金属材料を採用する場合には、放射線透過板２２０は、ＣＦＲＰ等の高剛性で且つ高い放射線透過率を有する材料を採用することが好適である。
【００２６】
図５（ａ）に示す例では、枠体２１０を構成する複数の側面２１１〜２１４のうちの１つの側面２１１に、第１の凹部１５が設けられている例を示している。具体的に、第１の凹部１５は、図５（ａ）に示すように、放射線Ｒの入射方向から見た平面視において、放射線検出部５の有効画素領域５１における中心位置５０を通り、放射線透過板２２０の放射線入射面を定める相互に直交する２軸であるＸ軸及びＹ軸のうちのＹ軸に沿った線上の位置（線５２−１上の位置）を含む領域に設けられている。
【００２７】
なお、第１の実施形態に係る放射線撮影装置２００は、上述した図２〜図４に示す各構成部を有して構成されているものとする。
【００２８】
図５（ｂ）は、放射線撮影装置２００を、放射線Ｒが入射する放射線入射面と対向する背面の側から見た図である。この図５（ｂ）では、図５（ａ）に示したＸＹＺ座標系に対応させたＸＹＺ座標系を図示している。この図５（ｂ）では、枠体２１０の１つの側面と背面筐体２３０の所定位置に、それぞれ、図１（ｂ）の無線用電波透過窓１１１及び無線用電波透過窓１３１に相当する、無線用電波透過窓（不図示）及び無線用電波透過窓２３１を設けている。また、図５（ｂ）では、外装部２０１に内包される電源カバー１４を図示している。
【００２９】
また、第１の実施形態においては、図５（ｂ）に示すように、背面を構成する背面筐体２３０には、その中央領域ではない周辺領域であって、第１の凹部１５に対して、外装部２０１において第１の凹部１５が設けられている側面２１１と当該背面との境界２４０を間に挟む領域に、第２の凹部１６が設けられている。具体的に、第２の凹部１６及び第１の凹部１５は、図５（ｂ）に示すように、放射線Ｒの入射方向から見た平面視において、放射線撮影装置２００の重心位置２４１を通り、放射線透過板２２０の放射線入射面を定める相互に直交する２軸であるＸ軸及びＹ軸のうちのＹ軸に沿った線上の位置（線２４２−１上の位置）を含む領域に設けられている。ここで、図５（ｂ）に示す例では、放射線撮影装置２００の重心位置２４１が、図５（ａ）に示す放射線検出部５の有効画素領域５１における中心位置５０と略同じ位置となっているが、本実施形態においてはこの態様に限定されるものではない。本実施形態においては、図５（ｂ）に示す放射線撮影装置２００の重心位置２４１が、図５（ａ）に示す放射線検出部５の有効画素領域５１における中心位置５０と異なる位置である態様も、本実施形態に適用可能である。
【００３０】
第１の凹部１５は、例えば、放射線撮影装置２００が平面上に平置きされている状態（例えば、放射線透過板２２０が平面上に平置きされている状態や背面筐体２３０が平面上に平置きされている状態）から、操作者等が手指をかけて放射線撮影装置２００を持ち上げやすいように形成されている。また、第２の凹部１６は、例えば、放射線撮影装置２００を持ち運ぶ際の把持部（手指かけ部）として機能する構造であり、十分に手指が掛かる深さを確保することで安定した可搬性を確保することが可能となる。
【００３１】
放射線撮影装置２００では、第１の凹部１５及び第２の凹部１６を手指で掴むことを考慮して、図５（ｂ）に示すように、枠体２１０の側面２１１と背面筐体２３０との境界２４０を挟んで、第１の凹部１５及び第２の凹部１６を近接する位置に設けている。このように、第１の凹部１５及び第２の凹部１６を近接する位置に設けることで、例えば背面筐体２３０が平面上に平置きされている状態であったとしても、第１の凹部１５を使用して放射線撮影装置２００の少なくとも１辺を持ち上げると、第１の凹部１５にかけていた手を広げるとすぐに背面にある第２の凹部１６に手が届き、放射線撮影装置２００を把持することが可能となる。そして、第２の凹部１６を１か所でも手指で把持できれば、放射線撮影装置２００を安定的に持ち上げて且つ持ち運ぶことができるため、平面上に置かれた放射線撮影装置２００を持ち上げから持ち運びまでの動作をスムーズに行うことが可能となる。
【００３２】
そして、放射線撮影装置２００を安定的に持ち運ぶことを考慮すると、図５（ｂ）を用いて説明したように、第２の凹部１６及び第１の凹部１５は、放射線Ｒの入射方向から見た平面視において、放射線撮影装置２００の重心位置２４１を通り、Ｘ軸及びＹ軸のうちの少なくとも１軸に沿った線上の位置（図５（ｂ）に示す例では、線２４２−１上の位置）を含む領域に設けられていることが好適である。
【００３３】
また、図５では、第１の凹部１５を、枠体２１０を構成する複数の側面２１１〜２１４のうちの一部の側面２１１に設ける例を示したが、本実施形態においてはこの態様に限定されるものではない。第１の凹部１５を、第２の凹部１６に対応させて側面２１２に更に設ける態様も、本実施形態に適用可能である。
【００３４】
さらに、第１の凹部１５を、枠体２１０を構成する複数の側面２１１〜２１４のうちの全ての側面に設ける態様も、本実施形態に適用可能である。この全ての側面２１１〜２１４に第１の凹部１５を設ける態様の場合、放射線Ｒの入射方向から見た平面視において、図５（ａ）に示す、Ｙ軸及びＸ軸に沿った線５２−１上の位置及び線５２−２上の位置を含む領域に第１の凹部１５を設ける形態を採る。また、この全ての側面２１１〜２１４に第１の凹部１５を設ける態様の場合、放射線Ｒの入射方向から見た平面視において、図５（ｂ）に示す、Ｙ軸及びＸ軸に沿った線２４２−１上の位置及び線２４２−２上の位置を含む領域に第１の凹部１５を設ける形態を採る。
【００３５】
さらに、枠体２１０を構成する複数の側面２１１〜２１４のうちの全ての側面に第１の凹部１５を設ける場合に、第２の凹部１６を、それぞれの第１の凹部１５に対応させて、背面筐体２３０の周辺領域に４つ設ける態様も、本実施形態に適用可能である。この全ての側面２１１〜２１４に設けた第１の凹部１５に対応させて第２の凹部１６を設ける態様の場合、放射線Ｒの入射方向から見た平面視において、図５（ａ）に示す、Ｙ軸及びＸ軸に沿った線５２−１上の位置及び線５２−２上の位置を含む領域に第２の凹部１６を設ける形態を採る。また、この全ての側面２１１〜２１４に設けた第１の凹部１５に対応させて第２の凹部１６を設ける態様の場合、放射線Ｒの入射方向から見た平面視において、図５（ｂ）に示す、Ｙ軸及びＸ軸に沿った線２４２−１上の位置及び線２４２−２上の位置を含む領域に第２の凹部１６を設ける形態を採る。
【００３６】
また、本実施形態においては、第１の凹部１５は、手指の指先をかけて持ち上げることを考慮すると、１ｍｍ以上の深さの凹部であることが好適であり、この場合、手指をかけた時に痛み等を感じにくくスムーズに持ち上げ動作を行うことも可能となる。ただし、第１の凹部１５の深さを浅くせざるを得ない場合には、その凹部のエッジ形状や表面性状に変化を与えて改善を図ることも可能であり、本発明においてはこの深さに限定されるものではない。
【００３７】
上述したように、本実施形態の放射線撮影装置２００では、外装部２０１は、複数の側面２１１〜２１４を構成する枠体２１０と、放射線Ｒが入射する放射線入射面を構成し、枠体２１０と接合された放射線透過板２２０と、放射線入射面と対向する背面を構成し、枠体２１０と接合された背面筐体２３０とを含み構成されている。そして、枠体２１０を構成する複数の側面のうちの少なくとも１つの側面２１１には、第１の凹部１５が設けられている。さらに、背面筐体２３０の背面には、その周辺領域であって、第１の凹部１５に対して、外装部２０１において第１の凹部１５が設けられている側面２１１と当該背面との境界２４０を間に挟む領域に、第２の凹部１６が設けられている。
かかる構成によれば、放射線撮影装置（例えば、放射線入射面或いは背面）を平面上に置いた状態から放射線撮影装置を持ち上げる際に、その持ち上げ動作を容易にすることができる。これにより、すぐに安定した状態で放射線撮影装置を持ち運ぶことができる。
【００３８】
（第２の実施形態）
次に、本発明の第２の実施形態について説明する。なお、以下に記載する第２の実施形態の説明では、上述した第１の実施形態と共通する事項については説明を省略し、上述した第１の実施形態と異なる事項について説明を行う。
【００３９】
図６は、本発明の第２の実施形態に係る放射線撮影装置３００の概略構成の一例を示す図である。この図６において、図１〜図５に示す構成と同様の構成については同じ符号を付しており、その詳細な説明は省略する。また、図６では、図１〜図５に示したＸＹＺ座標系に対応させたＸＹＺ座標系を図示している。
【００４０】
第２の実施形態に係る放射線撮影装置３００は、図６に示すように、被写体を透過した放射線Ｒを電気信号に変換する放射線検出部５を内包する外装部３０１を備えている。この外装部３０１は、複数の側面を構成する枠体３１０、放射線Ｒが入射する放射線入射面を構成し、枠体３１０と接合された放射線透過板３２０、及び、放射線入射面と対向する背面を構成し、枠体３１０と接合された背面筐体３３０を備えている。具体的に、外装部３０１は、放射線入射面を構成する放射線透過板３２０、背面を構成する背面筐体３３０、及び、放射線入射面とその背面との間に位置する複数の側面（図６では、側面３１１及び側面３１２のみ記載）を構成する枠体３１０を有する直方体形状で形成されている。また、図６では、放射線Ｒの入射方向をＺ軸とし、このＺ軸と直交する２軸であって放射線透過板３２０の放射線入射面を定める相互に直交する２軸をＸ軸及びＹ軸とした、ＸＹＺ座標系を図示している。ここでは、Ｘ軸及びＹ軸は、放射線透過板３２０の放射線入射面を定める直交する２軸として説明を行ったが、例えば、背面筐体３３０の上述した背面を定める直交する２軸として定義してもよい。
【００４１】
放射線撮影装置３００の外装部３０１の内部には、図６に示すように、図２を用いて上述した蛍光体層４、放射線検出部５、放射線遮蔽部材６、センサ保持板７、衝撃吸収部材８、配線９、電気基板１０ｂ及び１０ｃ、通信モジュール基板１０ｄ、無線通信用のアンテナ１１、及び、図３を用いて上述した電源スイッチ等のインターフェース１７が設けられている。さらに、第２の実施形態に係る放射線撮影装置３００には、上述した図３〜図４に示す各構成部を有して構成されているものとする。
【００４２】
図６に示す例では、枠体３１０を構成する複数の側面のうちの一部の側面３１１に、第１の凹部１５が設けられている。そして、図６に示す例では、第１の凹部１５が設けられている側面３１１と対向する側面３１２には、背面筐体３３０の側に傾斜した傾斜領域３１２１が形成されている。上述した第１の実施形態では、例えば背面筐体３３０が平面上に平置きされている状態であった場合に、１か所に設けられた第１の凹部１５に手指をかけて持ち上げる動作の例を説明したが、この動作を行う場合、図６に示す傾斜領域３１２１に相当する部分の稜線を軸として回転動作が行われる。この回転動作を行うのにあたり、放射線撮影装置３００の重量が重い場合には、図６に示すように、第１の凹部１５に対向する側面３１２に傾斜領域３１２１を形成ることで放射線撮影装置３００の全体を傾けやすくなる。これにより、放射線撮影装置３００を持ち上げから持ち運びまでの動作をよりスムーズに行うことが可能となる。
【００４３】
また、枠体３１０に傾斜領域３１２１を形成するためには、内蔵されている放射線検出部５とのクリアランスが重要となってくる。放射線検出部５には、配線９が実装されており、放射線検出部５は、概ね矩形であることから、読み出し信号用のフレキ実装辺、駆動信号用のフレキ実装辺とに分けられることが多く、少なくとも２辺に配線９が実装されている。放射線検出部５において配線９が実装されていない辺には、放射線撮影装置３００の状態を表す表示系や、電源スイッチ等のインターフェース１７、外部ユニットとの通信や電力供給のための外部インターフェース１８が配置される。そのため、放射線検出部５のフレキ実装辺の方が、放射線撮影装置３００の内部構造としては厚み方向に空間が生まれやすく、傾斜領域３１２１を形成することが好適である。また、操作者は、インターフェースの部分を持ち上げて操作を行うことが多いため、放射線検出部５に接続された配線９の実装されている側に傾斜領域３１２１を設けるとよい。即ち、本実施形態においては、第１の凹部１５が設けられている側面３１１と対向する側面３１２は、放射線検出部５との間に、放射線検出部５に接続された配線９が配置されている側面であることが望ましい。
【００４４】
また、本実施形態においても、図６に示すように、背面を構成する背面筐体３３０には、第１の凹部１５に対して、外装部３０１において第１の凹部１５が設けられている側面３１１と当該背面との境界３４０を間に挟む領域に、第２の凹部１６が設けられている。
【００４５】
（第３の実施形態）
次に、本発明の第３の実施形態について説明する。なお、以下に記載する第３の実施形態の説明では、上述した第１及び第２の実施形態と共通する事項については説明を省略し、上述した第１及び第２の実施形態と異なる事項について説明を行う。
【００４６】
第１の実施形態で説明したように、枠体２１０に第１の凹部１５を設ける際には、放射線Ｒの入射方向から見た平面視において、側面２１１の領域のうち、放射線撮影装置２００の重心位置２４１を通り、Ｘ軸及びＹ軸のうちの少なくとも１軸に沿った線上の位置（図５（ｂ）に示す例では、線２４２−１上の位置）を含む領域に設けることが好適である。
【００４７】
また、第１の実施形態で説明したように、放射線撮影装置は、内部に放射線検出部５を有しており、放射線検出部５は、放射線画像を作成するための有効画素領域５１を有している。有効画素領域５１は、操作者に明確にわかるように、例えば図５（ａ）に示すように、放射線透過板２２０の放射線入射面に矩形の点線等で明示する必要がある。さらに、有効画素領域５１の中心位置５０がわかると、放射線撮影の際に放射線源（不図示）との位置合わせを行いやすいため、有効画素領域５１の外形だけではなく、Ｙ軸及びＸ軸の方向において中心位置５０を通る線５２−１及び線５２−２も明示することが好適である。ワイヤレスタイプの放射線撮影装置は、一般放射線撮影室内だけではなく、回診や救急の現場でも頻繁に使用され、そのような場面では、被写体の下に放射線撮影装置を滑り込ませて放射線源（不図示）との位置合わせを行うことも多い。そして、被写体の下に放射線撮影装置を滑り込ませた状態では、有効画素領域５１の中心位置５０を視覚では判断できないため、手指で放射線撮影装置の外形を触れただけで中心位置５０が判断できると、放射線撮影をスムーズに行える。そこで、本実施形態では、この点を考慮した放射線撮影装置を提供する。
【００４８】
図７は、本発明の第３の実施形態に係る放射線撮影装置４００の外観の一例を示す図である。この際、図７では、第３の実施形態に係る放射線撮影装置４００の外観の一部のみを図示している。
【００４９】
具体的に、図７は、放射線撮影装置４００を、放射線Ｒが入射する放射線入射面の側から見た図である。なお、第３の実施形態に係る放射線撮影装置４００は、第１の実施形態に係る放射線撮影装置２００と同様に、上述した図２〜図４に示す各構成部を有して構成されているものとする。このため、第３の実施形態に係る放射線撮影装置４００は、被写体を透過した放射線Ｒを電気信号に変換する放射線検出部５を内包する外装部４０１を備えている。この外装部４０１は、複数の側面（図７では、側面４１１のみ記載）を構成する枠体４１０、放射線Ｒが入射する放射線入射面を構成し、枠体４１０と接合された放射線透過板４２０、及び、放射線入射面と対向する背面を構成し、枠体４１０と接合された背面筐体４３０を備えている。具体的に、外装部４０１は、放射線入射面を構成する放射線透過板４２０、背面を構成する背面筐体４３０、及び、放射線入射面とその背面との間に位置する複数の側面を構成する枠体４１０を有する直方体形状で形成されている。また、図７では、放射線Ｒの入射方向をＺ軸とし、このＺ軸と直交する２軸であって放射線透過板４２０の放射線入射面を定める相互に直交する２軸をＸ軸及びＹ軸とした、ＸＹＺ座標系を図示している。ここでは、Ｘ軸及びＹ軸は、放射線透過板４２０の放射線入射面を定める直交する２軸として説明を行ったが、例えば、背面筐体４３０の上述した背面を定める直交する２軸として定義してもよい。また、図７では、外装部４０１に内包される放射線検出部５の有効画素領域５１、並びに、放射線検出部５の有効画素領域５１における中心位置５０を通り、Ｙ軸及びＸ軸に沿った線５２−１及び線５２−２を図示している。
【００５０】
図７に示す例では、枠体２１０の側面４１１に、第１の凹部１５と、無線用電波透過窓１１１が設けられている。この際、第１の凹部１５は、第１の実施形態と同様に、放射線Ｒの入射方向から見た平面視において、放射線検出部５の有効画素領域５１における中心位置５０を通り、Ｙ軸に沿った線５２−１上の位置を含む領域に設けられている。
【００５１】
さらに、図７に示す例では、この第１の凹部１５の内部には、放射線検出部５の有効画素領域５１における中心位置５０を示すための凹形状を有する凹形状構造物１５１が、第１の凹部１５の外側に向けて形成されている。具体的に、凹形状構造物１５１は、放射線Ｒの入射方向から見た平面視において、放射線検出部５の有効画素領域５１における中心位置５０を通り、Ｙ軸に沿った線５２−１上の位置に形成されている。そして、操作者が第１の凹部１５に手指を入れて且つ凹形状構造物１５１に手指をかけることにより、操作者は、放射線検出部５の有効画素領域５１におけるＸ軸方向の中心位置５０を把握することができる。
【００５２】
なお、上述した説明では、凹形状構造物１５１を設けることによって、放射線検出部５の有効画素領域５１における中心位置５０を把握する例を記載したが、本実施形態においてはこの態様に限定されるものではない。図７において点線で示すように、第１の凹部１５の内部に、放射線検出部５の有効画素領域５１における中心位置５０を示すための凸形状を有する凸形状構造物１５２を、第１の凹部１５の内側に向けて形成する態様も、本実施形態に適用可能である。そして、操作者が第１の凹部１５に手指を入れて且つ凸形状構造物１５２に手指をかけることにより、操作者は、放射線検出部５の有効画素領域５１におけるＸ軸方向の中心位置５０を把握することができる。
【００５３】
なお、本実施形態においては、放射線Ｒの入射方向から見た平面視において、放射線検出部５の有効画素領域５１における中心位置５０を通り、Ｙ軸に沿った線５２−１上の位置を含む領域に第１の凹部１５を設け、その第１の凹部１５の内部に凹形状構造物１５１または凸形状構造物１５２を形成する例について説明を行ったが、本発明においてはこの形態に限定されるものではない。例えば、放射線Ｒの入射方向から見た平面視において、放射線検出部５の有効画素領域５１における中心位置５０を通り、Ｘ軸に沿った線５２−２上の位置を含む領域に第１の凹部１５を設け、その第１の凹部１５の内部に凹形状構造物１５１または凸形状構造物１５２を形成する形態も、本発明に適用可能である。この形態を採る場合、操作者が第１の凹部１５に手指を入れて且つ凹形状構造物１５１または凸形状構造物１５２に手指をかけることにより、操作者は、放射線検出部５の有効画素領域５１におけるＹ軸方向の中心位置５０を把握することができる。また、本実施形態では、第１の凹部１５の内部に凹形状構造物１５１または凸形状構造物１５２を形成するため、放射線撮影装置４００のサイズを大きくすることなく、操作者に放射線検出部５の有効画素領域５１における中心位置５０を把握させることができる。
【００５４】
なお、上述した本発明の実施形態は、いずれも本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【００５５】
１５：第１の凹部、１６：第２の凹部、２００：放射線撮影装置、２０１：外装部、２１０：枠体、２１１〜２１４：側面、２２０：放射線透過板、２３０：背面筐体、２４０：境界
【図１】
2020159920.tif 000003
【図２】
2020159920.tif 000004
【図３】
2020159920.tif 000005
【図４】
2020159920.tif 000006
【図５】
2020159920.tif 000007
【図６】
2020159920.tif 000008
【図７】
2020159920.tif 000009